(57)【特許請求の範囲】
【請求項１】
第１カードと前記第１カードよりも長さの長い第２カードと前記第２カードよりも厚さの厚い第３カードとをカード装着領域に選択的に装着可能なハウジングと、
前記カード装着領域に装着された前記第１カードの接触部と対応する第１の接点部を有する第１コンタクト端子と、
前記第１コンタクト端子とは互いの接点部が近接するとともに、互いに逆方向に延設しており、前記カード装着領域に装着された前記第２カードの接触部のみと対応する第２の接点部を有する第２コンタクト端子と、
前記カード装着領域に装着された前記第２又は第３カードの接触部と対応する第３の接点部を有する第３コンタクト端子と、
前記第３カードの装着時に前記第２コンタクト端子のみを前記第３カードから離間する方向に押し下げる押下げ部を有する押下げ部材とを備え、
前記押下げ部材には、前記第１コンタクト端子の第１の接点部が前記カード装着領域側に突出可能な開口部が形成され、前記押下げ部材は、前記第２カードの装着時に前記第２コンタクト端子と第１の当接部が当接しつつ一定の範囲内で押し下げられて、前記第２カードの接触部と前記第２コンタクト端子の第２の接点部とが押下げ部材に形成された貫通孔を介して接触可能となると共に、前記第３カードの装着時には前記第２コンタクト端子と前記押下げ部材とが第２の当接部で当接しつつ前記一定の範囲を超えて押し下げられて、前記第３カードの接触部から前記第２コンタクト端子の第２の接点部を退避させることを特徴とするカード用コネクタ装置。
【請求項２】
前記第１コンタクト端子は、前記装着領域における前記各カードの装着方向に自由端を向けて延設され、前記第２コンタクト端子は、前記装着方向に対して逆方向に自由端を向けて延設されていることを特徴とする請求項１に記載のカード用コネクタ装置。
【請求項３】
前記押し下げ部材は、前記ハウジングに回動可能に軸支され、前記軸支位置から前記各カードの装着方向の奥側に向かって、前記開口部及び前記押下げ部の順番に設けられていることを特徴とする請求項１又は請求項２に記載のカード用コネクタ装置。
【請求項４】
前記押し下げ部材が軸支されている位置は、前記装着方向に延設された前記第１コンタクト端子の両側方であることを特徴とする請求項３に記載のカード用コネクタ装置。
【発明の詳細な説明】
【技術分野】
【０００１】
本発明は、カード用コネクタ装置に関し、複数種類のカードを選択的に装着可能なカード用コネクタ装置に関する。
【背景技術】
【０００２】
メモリカードやＩＣカード等として、サイズの異なる複数種類のカードがあり、これら複数種類のカードを選択的に装着可能とするカード用コネクタが考えられている（特許文献１参照）。
【０００３】
このカード用コネクタにおいては、長さの短いカード用としてカード挿入口側に設けられたコンタクト端子と、長さの長いカード用として奥側に設けられたコンタクト端子とが近接していることにより、長さの長いカードを挿入して奥側のコンタクト端子に装着する場合には、カード挿入口に設けられたコンタクト端子を押し下げ部材によって押し下げ、該コンタクト端子とカードとが干渉することを防止する構成となっている。
【特許文献１】特開２００４−７１２５７号公報
【発明の開示】
【発明が解決しようとする課題】
【０００４】
ところで、複数種類のカードを選択的に装着可能なカード用コネクタにおいては、小型化を図ることによって、各カード用のコンタクト端子を近接して配置する必要があった。例えば、カード挿入口側からコンタクト端子を第１群、第２群、第３群と配列し、第１群のコンタクト端子と第２群のコンタクト端子とを近接して配列する構成とした場合、第２群のコンタクト端子のみを選択的に押し下げることは困難であった。
【０００５】
本発明はかかる問題点に鑑みてなされたものであり、複数のコンタクト端子が近接して設けられている場合であっても、挿入されるカードの種類に応じて選択的にコンタクト端子を押し下げることができるカード用コネクタ装置を提供することを目的とする。
【課題を解決するための手段】
【０００６】
本発明のカード用コネクタ装置は、第１カードと前記第１カードよりも長さの長い第２カードと前記第２カードよりも厚さの厚い第３カードとをカード装着領域に選択的に装着可能なハウジングと、前記カード装着領域に装着された前記第１カードの接触部と対応する第１の接点部を有する第１コンタクト端子と、前記第１コンタクト端子とは互いの接点部が近接するとともに、互いに逆方向に延設しており、前記カード装着領域に装着された前記第２カードの接触部のみと対応する第２の当接部を有する第２コンタクト端子と、前記カード装着領域に装着された前記第２又は第３カードの接触部と対応する第３の接点部を有する第３コンタクト端子と、前記第３カードの装着時に前記第２コンタクト端子のみを前記第３カードから離間する方向に押し下げる押下げ部を有する押下げ部材とを備え、前記押下げ部材には、前記第１コンタクト端子の第１の接点部が前記カード装着領域側に突出可能な開口部が形成され、前記押下げ部材は、前記第２カードの装着時に前記第２コンタクト端子と第１の当接部が当接しつつ一定の範囲内で押し下げられて、前記第２カードの接触部と前記第２コンタクト端子の第２の接点部とが押下げ部材に形成された貫通孔を介して接触可能となると共に、前記第３カードの装着時には前記第２コンタクト端子と前記押下げ部材とが第２の当接部で当接しつつ前記一定の範囲を超えて押し下げられて、前記第３カードの接触部から前記第２コンタクト端子の第２の接点部を退避させることを特徴とする。
【０００７】
上記カード用コネクタ装置によれば、第２コンタクト端子が第１コンタクト端子と近接して設けられている場合であっても、押下げ部材によって第２コンタクト端子のみを押し下げることができるので、カードの種類に応じて第２コンタクト端子の破損を未然に防止することができる。また、第２コンタクト端子のみを選択的に押し下げることができるので、押下げ部材の回動動作に影響されずに第１コンタクト端子と第１カードとを接続することができる。また、貫通孔から第２コンタクト端子を突出させることで押下げ部材の動作に関係なく第２コンタクト端子を第２カードに接続することができる。
【０００８】
また上記カード用コネクタ装置において、前記第１コンタクト端子は、前記装着領域における前記各カードの装着方向に自由端を向けて延設され、前記第２コンタクト端子は、前記装着方向に対して逆方向に自由端を向けて延設されていることが好ましい。この場合には、第１コンタクト端子と第２コンタクト端子とを近接して設けることができる。
【０００９】
また上記カード用コネクタ装置において、前記押し下げ部材は、前記ハウジングに回動可能に軸支され、前記軸支位置から前記各カードの装着方向の奥側に向かって、前記開口部及び前記押下げ部の順番に設けられていることが好ましい。この場合には、軸支位置から遠い箇所に押下げ部を設けることで、第３カードにより押下げ部材が操作されたとき、第２コンタクト端子を大きく移動させることができる。
【００１０】
また上記カード用コネクタ装置において、前記押し下げ部材が軸支されている位置は、前記装着方向に延設された前記第１コンタクト端子の両側方であることが好ましい。この場合には、押下げ部材が両側で軸支されることにより、安定して回動するように設置することができる。
【発明の効果】
【００１２】
本発明によれば、複数のコンタクト端子が近接して設けられている場合であっても、挿入されるカードの種類に応じて選択的にコンタクト端子を押し下げることができるカード用コネクタ装置を提供することができる。
【発明を実施するための最良の形態】
【００１３】
以下、本発明の一実施の形態について添付図面を参照して詳細に説明する。
図１は、本発明の一実施の形態に係るカード用コネクタ装置１００及びこれに対して選択的に装着される複数のカード（第１カード１０、第２カード２０、第３カード３０及び第４カード４０）を示す斜視図である。カード用コネクタ装置１００は、これら複数のカード（１０、２０、３０、４０）を選択的に装着可能なハウジング１０４と、各々のカード（１０、２０、３０、４０）の接触部と接触するように対応付けられた複数のコンタクト端子群とを備えている。
【００１４】
すなわち、図１において、カード用コネクタ装置１００は、第１カード１０、第２カード２０、第３カード３０又は第４カード４０のいずれかを選択的に挿入する挿入口１０２を箱型の筺体の一方の端部に有している。
【００１５】
図２乃至図５は、本実施の形態に係るカード用コネクタ装置１００に使用される第１カード１０、第２カード２０、第３カード３０及び第４カード４０を示す図である。図２（Ａ）は、第１カード１０の平面図であり、図２（Ｂ）は、第１カード１０の側面図である。図３（Ａ）は、第２カード２０の平面図であり、図３（Ｂ）は、第２カード２０の側面図である。図４（Ａ）は、第３カード３０の平面図であり、図４（Ｂ）は、第３カード３０の側面図である。図５（Ａ）は、第４カード４０の平面図であり、図５（Ｂ）は、第４カード４０の側面図である。
【００１６】
図２に示す第１カード１０は、他のカード（第２、第３、第４カード）に比べて、カード用コネクタ装置１００に対する挿入方向の長さが最も短いカードであり、その端子形成面１０ｂには、カード用コネクタ装置のカード挿入口に最も近い位置に配列された第１コンタクト端子群１１１（後述）に接触する複数の接触端子１１ａからなる接触部１１が設けられている（図２（Ａ））。この接触端子１１ａは、第１カード１０の挿入方向側のカード端部１０ａに沿って配列されている。
【００１７】
図３に示す第２カード２０は、カード用コネクタ装置１００に対する挿入方向の長さが、第１カード１０よりも長いカードであり、その端子形成面２０ｂには、カード用コネクタ装置１００のカード挿入口から３番目の端子群として配列されている第３コンタクト端子群１１３（後述）に接触する複数の接触端子２１ａからなる第１接触部２１と、カード用コネクタ装置１００のカード挿入口から２番目の端子群として配列されている第２コンタクト端子群１１２（後述）に接触する複数の接触端子２２ａからなる第２接触部２２とが設けられている（図３（Ａ））。第１接触部２１の接触端子２１ａは、第２カード２０の挿入方向側のカード端部２０ａに沿って配列されており、また第２接触部２２の接触端子２２ａは、カード端部２０ａから見えて、第１接触部２１の接触端子２１ａの後列側に配列されている。また、図３（Ｂ）に示すように、この第２カード２０は、第１カード１０（図２（Ｂ））と略同等の厚みを有している。
【００１８】
図４に示す第３カード３０は、カード用コネクタ装置１００に対する挿入方向の長さが、第２カード２０と同程度のカードであり、その端子形成面３０ｂには、カード用コネクタ装置１００のカード挿入口から３番目の端子群として配列されている第３コンタクト端子群１１３（後述）に接触する複数の接触端子３１ａからなる接触部３１が設けられている（図４（Ａ））。接触部３１の接触端子３１ａは、第３カード３０の挿入方向側のカード端部３０ａに沿って配列されている。また、図４（Ｂ）に示すように、この第３カード３０は、第１カード１０（図２（Ｂ））及び第２カード２０（図３（Ｂ））よりも厚く形成されている。
【００１９】
図５に示す第４カード４０は、他のカード（第１、第２、第３カード）に比べて、カード用コネクタ装置１００に対する挿入方向の長さが、最も長いカードであり、その端子形成面４０ｂには、カード用コネクタ装置１００のカード挿入口から４番目（最も奥）の端子群として配列されている第４コンタクト端子群１１４（後述）に接触する複数の接触端子４１ａからなる接触部４１が設けられている（図５（Ａ））。接触部４１の接触端子４１ａは、第４カード４０の挿入方向側のカード端部４０ａに沿って配列されている。
【００２０】
また、図５（Ｂ）に示すように、この第４カード４０は、その本体部が第１カード１０（図２（Ｂ））、第２カード２０（図３（Ｂ））、第３カード３０（図４（Ｂ））よりも厚く形成されている。なお、第４カード４０においては、端子形成面４０ｂは、本体部の外形をなす本体主面４０ｄから段差により落ち込んだ位置に形成されている。
【００２１】
カード用コネクタ装置１００においては、以上説明した４種類のカードを選択的に挿入口１０２から挿入し、挿入されたカードの接触部を対応するコンタクト端子群に接触させることで、カードとコンタクト端子群との間の電気的な接触（接続）状態を得るようになされている。
【００２２】
図１に示すように、カード用コネクタ装置１００は、一方の端部に挿入口１０２を有するハウジング１０４と、このハウジング１０４を覆うカバー１２０によって筺体が構成されている。
【００２３】
図６に示すように、カード用コネクタ装置１００のハウジング１０４は、底面部１０５と、側面部１０３ａ、１０３ｂと、背面部１０３ｃとが一体に形成されている。ハウジング１０４においては、これら側面部１０３ａ、１０３ｂ及び背面部１０３ｃによって三方が囲まれているのに対して、正面部は開放され、カードを挿入するための挿入口１０２が形成されている。
【００２４】
図７に示すように、このハウジング１０４の側面部１０３ａ、１０３ｂ及び背面部１０３ｃによって囲まれた内部空間は、第１カード１０、第２カード２０、第３カード３０及び第４カード４０の挿入空間（装着領域）を構成し、この内部の底面部には、導電性部材で形成された第１コンタクト端子群１１１と、第２コンタクト端子群１１２と、第３コンタクト端子群１１３と、第４コンタクト端子群１１４とが挿入口１０２から順次配置されている。
【００２５】
図８は、第１コンタクト端子群１１１、第２コンタクト端子群１１２、第３コンタクト端子群１１３及び第４コンタクト端子群１１４を示す斜視図であり、図９はその側面図である。図６乃至図９に示すように、第１コンタクト端子群１１１は、挿入口１０２に沿って配列された複数のコンタクト端子１１１ａを有する。各コンタクト端子１１１ａには、ハウジング１０４内のカード挿入空間側（図８及び図９において上方）に湾曲した湾曲部１１１ｂが形成されており、この湾曲部１１１ｂは、第１カード１０が挿入された際に、該第１カード１０の接触端子１１ａ（図２）に接触する接点部（第１の接点部）を構成している。
【００２６】
また、第２コンタクト端子群１１２は、挿入口１０２に沿って配列された複数のコンタクト端子１１２ａを有する。各コンタクト端子１１２ａには、ハウジング１０４内のカード挿入空間側に湾曲した湾曲部１１２ｂが形成されており、この湾曲部１１２ｂは、第２カード２０が挿入された際に、該第２カードの接触端子２２ａ（図３）に接触する接点部（第２の接点部）を構成している。
【００２７】
また、第３コンタクト端子群１１３は、挿入口１０２に沿って配列された複数のコンタクト端子１１３ａを有する。各コンタクト端子１１３ａには、ハウジング１０４内のカード挿入空間側に湾曲した湾曲部１１３ｂが形成されており、この湾曲部１１３ｂは、第２カード２０が挿入された際に、該第２カード２０の接触端子２１ａ（図３）に接触する接点部（第３の接点部）を構成している。このコンタクト端子群１１３ａの湾曲部１１３ｂは、第３カード３０が挿入された際には、該第３カード３０の接触端子３１ａ（図４）に接触するようにもなされている。
【００２８】
また、第４コンタクト端子群１１４（図７）は、挿入口１０２に沿って配列された複数のコンタクト端子１１４ａを有する。各コンタクト端子１１４ａには、ハウジング１０４内のカード挿入空間側に湾曲した湾曲部１１４ｂが形成されており、この湾曲部１１４ｂは、第４カード４０が挿入された際に、該第４カード４０の接触端子４１ａ（図５）に接触する接点部（第４の接点部）を構成している。
【００２９】
本実施の形態においては、第１コンタクト端子群１１１の各コンタクト端子１１１ａの湾曲部１１１ｂと、第２コンタクト端子群１１２の各コンタクト端子１１２ｂの湾曲部１１２ｂとは、挿入されるカードの種類に応じて、近接した位置に配置する必要がある。これにより、第１コンタクト端子群１１１の各コンタクト端子１１１ａと、第２コンタクト端子群１１２の各コンタクト端子１１２ａとは、それぞれ逆方向に片持ち支持された構成となっている。
【００３０】
すなわち、第１コンタクト端子群１１１の各コンタクト端子１１１ａは、カードの挿入口１０２側において、先端部１１１ｃ（自由端）をカード挿入空間の奥側に向けた状態でハウジング１０４の底面部１０５に片持ち支持されており、これに対して、第２コンタクト端子群１１２の各コンタクト端子１１２ａは、カードの挿入空間の奥側において、先端部１１２ｃ（自由端）を挿入口１０２側に向けた状態で底面部１０５に片持ち支持されている。
【００３１】
また、図６及び図７に示すように、ハウジング１０４の内部空間には、第２コンタクト端子群１１２のコンタクト端子１１２ａをカード挿入空間の外方へ押し下げる押下げ部材としてのカム板１３０が設けられる。このカム板１３０は、回動軸１３１、１３２を介して、ハウジング１０４に回動可能に軸支される。すなわち、カム板１３０は、カードの挿入口１０２側に回動軸１３１、１３２を配置した状態で軸支されており、カードの挿入空間の奥側に回動端１３０ａが向くように設けられる。回動軸１３１、１３２は、カードの装着方向に延設された第１コンタクト端子１１１ａの両側方に設けられており、カム板１３０が安定して回動し得るようになされている。
【００３２】
図１０及び図１１に示すように、カム板１３０には、複数の開口部１３３が形成されている。この開口部１３３は、第１コンタクト端子群１１１を構成する各コンタクト端子１１１ａの湾曲部１１１ｂを挿通し得る程度の大きさに形成されている。
【００３３】
すなわち、開口部１３３は、コンタクト端子１１１ａの湾曲部１１１ｂよりも大きな形状に形成されていることにより、図１２及び図１３に示すように、開口部１３３内にコンタクト端子１１１ａの湾曲部１１１ｂが挿入された状態において、カム板１３０が回動軸１３１、１３２を回動中心として矢印ａ方向に回動した場合においても、カム板１３０とコンタクト端子１１１ａの湾曲部１１１ｂやその先端部１１１ｃとが干渉しないようになされている。これにより、挿入口１０２からカードが挿入されてこのカードによってカム板１３０が矢印ａ方向に回動された場合であっても、カードがコンタクト端子１１１ａに接触しない場合には、該コンタクト端子１１１ａは、カム板１３０の回動動作からの干渉を受けることなく、一定の状態を保つこととなる。
【００３４】
また、カム板１３０の回動端側には、延設部１３４が延設されており、この延設部１３４には、開口部（貫通孔）１３５が形成されている。開口部１３５は、第２コンタクト端子群１１２を構成するコンタクト端子１１２ａの湾曲部１１２ｂのカード挿入空間側に突出した部位を挿通し得る程度の大きさに形成されており、この開口部１３５の挿入口１０２側の一方の端部１３５ａには、コンタクト端子１１２ａの先端部１１２ｃが、カード挿入空間の外方から内方に向かって当接する構成となっている。この場合、コンタクト端子１１２ａの先端部１１２ｃは、該コンタクト端子１１２ａそのものの弾性力に応じた力で開口部１３５の端部１３５ａに当接する。
【００３５】
これにより、挿入口１０２からカードが挿入され、このカードによってカム板１３０が矢印ａ方向（カード挿入空間の内方から外方に向かう方向）に回動されると、開口部１３５の端部１３５ａに当接したコンタクト端子１１２ａの先端部１１２ｃは、端部１３５ａによって矢印ａ方向に押し下げられる。すなわち、カム板１３０は、コンタクト端子１１２ａに対する押下げ部材として機能することになり、端部１３５ａは、押下げ部を構成することになる。
【００３６】
因みに、カム板１３０においては、回動軸１３１、１３２が設けられた回動位置から、開口部１３３を介して開口部１３５が形成されていることにより、回動軸１３１、１３２が設けられた回動位置から回動端側の開口部１３５までの距離を大きくすることができ、これにより、コンタクト端子１１２ａの先端部１１２ｃを大きく押し下げることができる。
【００３７】
また、カム板１３０に形成された開口部１３５の他方の端部１３５ｂには、カム板１３０が矢印ａ方向に一定以上回動した際にコンタクト端子１１２ａの湾曲部１１２ｂの根元側が当接するようになっている。これにより、挿入口１０２から挿入されたカードが一定以上押し込まれるまでは、上述の端部１３５ａによってコンタクト端子１１２ａの先端部１１２ｃが矢印ａ方向に押し下げられ、さらにカードが押し込まれてカム板１３０が一定以上回動されると、他方の端部１３５ｂによってコンタクト端子１１２ａは矢印ａ方向に押し下げられる。
【００３８】
これにより、コンタクト端子１１２ａの先端部１１２ｃは、挿入されたカードの端子形成面１０ｂ、２０ｂ、３０ｂ、４０ｂよりもカード挿入空間の外方に退いた状態となり、この退避動作により、カード挿入空間に挿入されたカードがコンタクト端子１１２ａの先端部１１２ｃに当たることを回避することができ、該先端部１１２ｃの破損を未然に防止することができる。
【００３９】
このように、接触端子１１ａ、２１ａ、２２ａ、３１ａ、４１ａの配置や外形形状が異なる複数種類のカードを選択的に挿入する構成においては、第１コンタクト端子群１１１のコンタクト端子１１１ａの湾曲部１１１ｂと、第２コンタクト端子群１１２のコンタクト端子１１２ａの湾曲部１１２ｂとを近接させて配置させる必要があり、第１コンタクト端子群１１１の各コンタクト端子１１１ａと、第２コンタクト端子群１１２の各コンタクト端子１１２ａとを逆方向から片持ち支持させることにより、湾曲部１１１ｂ及び１１２ｂが近接した構成とすることができる。
【００４０】
また、１つのカム板１３０において、第１コンタクト端子群１１１のコンタクト端子１１１ａの湾曲部１１１ｂに干渉しない開口部１３３を形成すると共に、第２コンタクト端子群１１２のコンタクト端子１１２ａの先端部１１２ｃに当接する端部１３５ａを形成することにより、互いに近接して配置されたコンタクト端子１１１ａ及び１１２ａのうち、一方のコンタクト端子１１２ａのみをカム板１３０の回動動作によって退避動作させることができる。
【００４１】
本実施の形態の場合、ハウジング１０４においては、第１カード１０の挿入位置と、第２カード２０の挿入位置と、第３カード３０の挿入位置と、第４カードの挿入位置とにそれぞれ差異があり、例えば、第２カード２０又は第４カード４０を挿入する場合と、第１カード１０又は第３カード３０を挿入する場合とを比較すると、第１カード１０又は第３カード３０を挿入する場合には、該第１カード１０又は第３カード３０の端子形成面１０ｂ又は３０ｂが第２カード２０又は第４カード４０の端子形成面２０ｂ又は４０ｂよりもコンタクト端子側に近接した位置になるようにガイドされる。
【００４２】
すなわち、第１カード１０又は第３カード３０を挿入する場合には、その端子形成面１０ｂ又は３０ｂが第１コンタクト端子群１１１のコンタクト端子１１１ａに接触する状態となるのに対して、第２カード２０又は第４カード４０を挿入する場合には、その端子形成面２０ｂ又は４０ｂが第１コンタクト端子群１１１のコンタクト端子１１１ａには接触しない状態となる。
【００４３】
このように、挿入されるカードによってコンタクト端子１１１ａに接触する場合と接触しない場合とがあり、本実施の形態においては、カム板１３０に開口部１３３を形成して、カム板１３０が回動動作した場合であっても、該カム板１３０によってコンタクト端子１１１ａが押し下げられないようにすることで、コンタクト端子１１１ａに接触しないカード（第２カード２０又は第４カード４０）が挿入された場合には、該カードによってカム板１３０が回動されてもコンタクト端子１１１ａが押し下げられることはなくなる。
【００４４】
このように、カム板１３０が矢印ａ方向に回動動作してもコンタクト端子１１１ａが回動（退避）しない構成においては、コンタクト端子１１１ａに接触端子１１ａを接触させる必要がある第１カード１０を挿入した場合に、コンタクト端子１１１ａと接触端子１１ａとの確実な接触を得ることが可能となる。
【００４５】
一方、第２コンタクト端子群１１２のコンタクト端子１１２ａは、第３コンタクト端子群１１３と同様にカード挿入空間の奥側から挿入口１０２側に向かって延設されており、第３コンタクト端子群１１３よりも挿入口１０２側に設けられている分、コンタクト端子１１２ａの長さが、コンタクト端子１１３ａの長さよりも長くなっている。これにより、コンタクト端子１１２ａにおいては、その先端に形成された湾曲部１１２ｂをコンタクト端子１１３ａの湾曲部１１３ｂよりも上方（カード挿入空間の内方）に配置することで、カードの接触端子に対して十分な接触圧を得るようになされている。
【００４６】
このようにコンタクト端子が上方（カード挿入空間の内方）に配置された構成においては、挿入口１０２から挿入されたカードが、コンタクト端子１１２ａの先端部１１２ｃに当たって該先端部１１２ｃを破損するおそれがある。従って、本実施の形態においては、カム板１３０の延設部１３４に形成された端部１３５ａがコンタクト端子１１２ａの先端部１１２ｃを押さえる構成とし、カードが挿入された際には、該カードによってカム板１３０を矢印ａ方向に回動させ、これに伴ってコンタクト端子１１２ａの先端部１１２ｃを矢印ａ方向（カード挿入空間の外方）へ退避させることにより、コンタクト端子１１２ａの先端部１１２ｃにカードが当たって該先端部１１２ｃが破損することを防止している。
【００４７】
因みに、挿入されたカードによってカム板１３０が矢印ａ方向に回動した状態においては、コンタクト端子１１２ａの湾曲部１１２ｂのカード挿入空間側に突出した部位がカム板１３０からカード挿入空間側に突出した状態となる。これにより、該コンタクト端子１１２ａの接触対象となる第２カード２０（図３）が挿入された場合には、該第２カード２０の第２接触部２２の接触端子２２ａにコンタクト端子１１２ａの湾曲部１１２ｂを接触させることができる。
【００４８】
また、図６及び図７に示すように、ハウジング１０４の内部空間には、挿入されたカードに係合されるスライド部材１４０及びこのスライド部材１４０を挿入口１０２側へ付勢するためのコイルばね１４１が設けられる。このコイルばね１４１は、挿入されたカードを取り出す際の排出動作に利用されるものである。
【００４９】
かくして、図７に示すように、第１コンタクト端子群１１１、第２コンタクト端子群１１２、第３コンタクト端子群１１３、第４コンタクト端子群１１４、カム板１３０、スライド部材１４０及びコイルばね１４１等の部品がハウジング１０４の内部空間に配置された状態で、カバー１２０によって上部を覆うことにより、カード用コネクタ装置１００（図１）が構成される。
【００５０】
以上説明したカード用コネクタ装置１００に対して、第１カード１０を選択的に挿入すると、図１４に示すように、第１カード１０によってカム板１３０が矢印ａ方向に回動され、これにより、第２コンタクト端子群１１２のコンタクト端子１１２ａが矢印ａ方向（カードの挿入空間の外方）へ退避する。
【００５１】
また、第１コンタクト端子群１１１のコンタクト端子１１１ａは、カム板１３０の回動動作に影響を受けることなく、挿入された第１カード１０によって湾曲部１１１ｂが押し下げられる。そして、湾曲部１１１ｂのカード側に突出した部位が第１カード１０の接触端子１１ａに接触する。この場合、該接触部では、コンタクト端子１１１ａの弾性に応じた力で湾曲部１１１ｂと接触端子１１ａとが接触することになる。
【００５２】
これに対して、カード用コネクタ装置１００に対して、第２カード２０を選択的に挿入すると、図１５に示すように、第２カード２０によってカム板１３０が矢印ａ方向に回動され、第２コンタクト端子群１１２のコンタクト端子１１２ａの先端部１１２ｃが矢印ａ方向（カードの挿入空間の外方）へ退避する。これにより、先端部１１２ｃは第２カード２０の端子形成面２０ｂよりも外方に退避することになり、挿入された第２カード２０によって該先端部１１２ｃが破損することが回避される。そして、コンタクト端子１１２ａの湾曲部１１２ｂの一部がカム板１３０からカード側に突出した状態となり、この状態において第２カード２０の接触端子２２ａと湾曲部１１２ｂとが接触し、該湾曲部１１２ｂのカム板１３０から突出した分だけ該湾曲部１１２ｂが第２カード２０の接触端子２２ａによってカム板１３０側へ押し込まれる。これにより、コンタクト端子１１２ａの弾性に応じた力で該コンタクト端子１１２ａの湾曲部１１２ｂが第２カード２０の接触端子２２ａに接触することとなる。
【００５３】
なお、上述したように、第１コンタクト端子群１１１の各コンタクト端子１１１ａは、カム板１３０の回動動作に影響されないようになされているため、カム板１３０が矢印ａ方向に回動した場合、コンタクト端子１１１ａの湾曲部１１１ｂがカム板１３０からカード側に相対的に大きく突出することとなるが、ハウジング１０４においては、第２カード２０がカード挿入空間に挿入された際に、第２カード２０の端子形成面２０ｂが第１コンタクト端子群１１１のコンタクト端子１１１ａの湾曲部１１１ｂに接触しないように該第２カード２０をガイドするようになされている。
【００５４】
また、第３コンタクト端子群１１３のコンタクト端子１１３ａにおいて、その先端部１１３ｃは、挿入された第２カード２０の端子形成面２０ｂよりもカードの挿入空間の外方に配置された状態となっていることにより、第２カード２０を挿入した場合、該第２カード２０は先端部１１３ａには当たらず湾曲部１１３ｂに当接した後、湾曲部１１３ｂを押し下げる。これにより、先端部１１３ｃが第２カード２０に当たって破損することが回避される。そして、さらに第２カード２０が挿入されることにより、湾曲部１１３ｂのカード側に突出した部位が、第２カード２０の端子形成面２０ｂの接触端子２１ａに接触する。この場合、該接触部では、コンタクト端子１１３ａの弾性に応じた力で湾曲部１１３ｂと接触端子２１ａとが接触することになる。
【００５５】
因みに、コンタクト端子１１３ａの先端部１１３ｃは、ハウジング１０４の底面部１０５に形成された保護部１０８によって保護されていることにより、第２カード２０等が挿入された場合において、該カードの挿入位置が図中下方にずれた場合であっても、カードは保護部１０８に当たることとなり、コンタクト端子１１３ａの先端部１１３ｃが破損することを回避することができる。
【００５６】
これに対して、カード用コネクタ装置１００に対して、第３カード３０を選択的に挿入すると、図１６乃至図１８に示すように、第３カード３０によってカム板１３０が矢印ａ方向に回動され、第２コンタクト端子群１１２のコンタクト端子１１２ａの先端部１１２ｃが矢印ａ方向（カードの挿入空間の外方）へ退避する。これにより、先端部１１２ｃは第３カード３０の端子形成面３０ｂよりも外方に退避することになり、挿入された第３カード３０によって該先端部１１２ｃが破損することが回避される。
【００５７】
なお、第３カード３０の端子形成面３０ｂは、第２カード２０の端子形成面２０ｂよりも下方に位置するようになされていることにより、第３カード３０がカム板１３０を一定の範囲で回動させる場合には、カム板１３０の開口部１３５の一方の端部１３５ａによって押さえられ（図１６）、さらに一定以上回動された場合には、開口部１３５の他方の端部１３５ｂによってコンタクト端子１１２ａの湾曲部１１２ｂの根元側が押さえられ（図１７）、これにより、コンタクト端子１１２ａの湾曲部１１２ｂがカム板１３０からカード側に突出することを回避することができる（図１８）。この結果、コンタクト端子１１２ａの湾曲部１１２ｂが第３カード３０に接触することを防止し得る。
【００５８】
また、第３コンタクト端子群１１３のコンタクト端子１１３ａにおいて、その先端部１１３ｃは、挿入された第３カード３０の端子形成面３０ｂよりもカードの挿入空間の外方（図１６において下方）に配置された状態となっていることにより、第３カード３０を挿入した場合、該第３カード３０は先端部１１３ａには当たらず湾曲部１１３ｂに当接した後、湾曲部１１３ｂを押し下げる。これにより、先端部１１３ｃが第３カード３０に当たって破損することが回避される。そして、さらに第３カード３０が挿入されることにより、湾曲部１１３ｂのカード側に突出した部位が、第３カード３０の端子形成面３０ｂの接触端子３１ａに接触する。この場合、該接触部では、コンタクト端子１１３ａの弾性に応じた力で湾曲部１１３ｂと接触端子３１ａとが接触することになる。
【００５９】
因みに、上述したように、コンタクト端子１１３ａの先端部１１３ｃは、ハウジング１０４の底面部１０５に形成された保護部１０８によって保護されていることにより、第３カード３０等が挿入された場合において、該カードの挿入位置が図中下方にずれた場合であっても、カードは保護部１０８に当たることとなり、コンタクト端子１１３ａの先端部１１３ｃが破損することを回避することができる。
【００６０】
これに対して、カード用コネクタ装置１００に対して、第４カード４０を選択的に挿入すると、図１９に示すように、第４カード４０によってカム板１３０が矢印ａ方向に回動され、第２コンタクト端子群１１２のコンタクト端子１１２ａの先端部１１２ｃが矢印ａ方向（カードの挿入空間の外方）へ退避する。これにより、先端部１１２ｃは第４カード４０の端子形成面４０ｂよりも外方に退避することになり、挿入された第４カード４０によって該先端部１１２ｃが破損することが回避される。
【００６１】
なお、上述したように、第１コンタクト端子群１１１の各コンタクト端子１１１ａは、カム板１３０の回動動作に影響されないようになされているため、カム板１３０が矢印ａ方向に回動した場合、コンタクト端子１１１ａの湾曲部１１１ｂがカム板１３０からカード側に相対的に大きく突出することとなるが、ハウジング１０４においては、第４カード４０がカード挿入空間に挿入された際に、第４カード４０の端子形成面４０ｂが第１コンタクト端子群１１１のコンタクト端子１１１ａの湾曲部１１１ｂに接触しないように該第４カード４０をガイドするようになされている。
【００６２】
また、第３コンタクト端子群１１３のコンタクト端子１１３ａにおいて、その先端部１１３ｃは、挿入された第４カード４０の端子形成面４０ｂよりもカードの挿入空間の外方（図１９において下方）に配置された状態となっていることにより、第４カード４０を挿入した場合、該第４カード４０は先端部１１３ａには当たらず湾曲部１１３ｂに当接した後、湾曲部１１３ｂを押し下げる。これにより、先端部１１３ｃが第４カード４０に当たって破損することが回避される。
【００６３】
そして、さらに第４カード４０が挿入されることにより、第４コンタクト端子群１１４の各コンタクト端子１１４ａの湾曲部１１４ｂが第４カード４０の端子形成面４０ｂの接触端子４１ａに接触する。この場合、該接触部では、コンタクト端子１１４ａの弾性に応じた力で湾曲部１１４ｂと接触端子４１ａとが接触することになる。
【００６４】
なお、コンタクト端子１１４ａの先端部１１４ｃは、ハウジング１０４に固定された保護部材１５１により保護されていることにより、第４カード４０等が挿入された場合において、該カードの挿入位置が図中下方にずれた場合であっても、カードは保護部材１５１に当たることとなり、コンタクト端子１１４ａの先端部１１４ｃが破損することを回避することができる。
【００６５】
かくして、カード用コネクタ装置１００においては、第１コンタクト端子群１１１のコンタクト端子１１１ａに設けられた湾曲部１１１ｂ（第１の接点部）と第２のコンタクト端子群１１２のコンタクト端子１１２ａに設けられた湾曲部１１２ｂ（第２の接点部）とが近接して配置された構成であっても、カム板１３０を設けたことにより、第２のコンタクト端子群１１２の湾曲部１１２ｂのみを選択的に押し下げることができる。
【００６６】
なお上述の実施の形態においては、第１カード１０、第２カード２０、第３カード３０及び第４カード４０を選択的に装着する場合について述べたが、これに限られるものではなく、さらに他の種々のカードを選択的に装着するようにしてもよい。
【図面の簡単な説明】
【００６７】
【図１】本発明の実施の形態に係るカード用コネクタ装置及びこれに対して選択的に装着される複数のカードを示す斜視図である。
【図２】第１カードの平面図及び側面図である。
【図３】第２カードの平面図及び側面図である。
【図４】第３カードの平面図及び側面図である。
【図５】第４カードの平面図及び側面図である。
【図６】図１のカード用コネクタ装置の分解斜視図である。
【図７】図１のカード用コネクタ装置の内部構成を示す斜視図である。
【図８】図１のカード用コネクタ装置の第１コンタクト端子群、第２コンタクト端子群、第３コンタクト端子群及び第４コンタクト端子群を示す斜視図である。
【図９】図１のカード用コネクタ装置の第１コンタクト端子群、第２コンタクト端子群、第３コンタクト端子群及び第４コンタクト端子群を示す側面図である。
【図１０】図１のカード用コネクタ装置のカム板（押下げ部材）を示す斜視図である。
【図１１】図１のカード用コネクタ装置のカム板（押下げ部材）を示す平面図及び側面図である。
【図１２】図１のカード用コネクタ装置の内部構成を示す断面図である。
【図１３】図１のカード用コネクタ装置の内部構成を示す断面図である。
【図１４】第１カードの装着状態を示す側面図である。
【図１５】第２カードの装着状態を示す側面図である。
【図１６】第３カードの装着過程の説明に供する側面図である。
【図１７】第３カードの装着過程の説明に供する側面図である。
【図１８】第３カードの装着過程の説明に供する側面図である。
【図１９】第４カードの装着状態を示す側面図である。
【符号の説明】
【００６８】
１０  第１カード
１０ａ、２０ａ、３０ａ、４０ａ  カード端部
１０ｂ、２０ｂ、３０ｂ、４０ｂ  端子形成面
１１ａ、２１ａ、２２ａ、３１ａ、４１ａ  接触端子
２０  第２カード
３０  第３カード
４０  第４カード
１００  カード用コネクタ装置
１０２  挿入口
１０３ａ、１０３ｂ  側面部
１０３ｃ  背面部
１０４  ハウジング
１０５  底面部
１０８  保護部
１１１  第１コンタクト端子群
１１１ａ、１１２ａ、１１３ａ、１１４ａ  コンタクト端子
１１１ｂ、１１２ｂ、１１３ｂ、１１４ｂ  湾曲部
１１１ｃ、１１２ｃ、１１３ｃ、１１４ｃ  先端部
１１２  第２コンタクト端子群
１１３  第３コンタクト端子群
１１４  弟４コンタクト端子群
１３０  カム板
１３１、１３２  回動軸
１３３、１３５  開口部
１３４  延設部
１３５ａ、１３５ｂ  端部
１５１  保護部材
【図１】
0004551460.tif 000002
【図２】
0004551460.tif 000003
【図３】
0004551460.tif 000004
【図４】
0004551460.tif 000005
【図５】
0004551460.tif 000006
【図６】
0004551460.tif 000007
【図７】
0004551460.tif 000008
【図８】
0004551460.tif 000009
【図９】
0004551460.tif 000010
【図１０】
0004551460.tif 000011
【図１１】
0004551460.tif 000012
【図１２】
0004551460.tif 000013
【図１３】
0004551460.tif 000014
【図１４】
0004551460.tif 000015
【図１５】
0004551460.tif 000016
【図１６】
0004551460.tif 000017
【図１７】
0004551460.tif 000018
【図１８】
0004551460.tif 000019
【図１９】
0004551460.tif 000020